(57)【要約】【課題】  患者ごとのステータスが混在していても、処理の輻輳状態に影響されることなく、患者ごとのステータスを考慮し、その優先度に応じて適切に処理を行い、患者にとっての待ち時間を最小にすることを可能とすること。【解決手段】  患者の至急区分、入院外来区分に基づく重み付けコスト値の合算により、優先度を動的に生成する。そして生成した優先度に基づいて、処理の順番を判定する。これにより、患者ごとのステータスに応じて迅速に検査結果を提供することができる。その結果、患者ごとのステータスに応じた診療待ち時間を短縮する。【選択図】          図３
2015179424.tif 000002
【特許請求の範囲】
【請求項１】
臨床検査処理装置と、臨床検査管理データベースと、臨床検査実施装置とがネットワークを介して通信可能に接続された臨床検査システムであって、
前記臨床検査システムが、前記ネットワークを介して上位システムと通信可能に接続されており、
前記臨床検査管理データベースが、入院外来区分、至急区分及び各区分の内容に応じて付与された重み付けコスト値を格納し、
前記臨床検査処理装置が、
前記上位システムから臨床検査依頼情報を受け付け及び／又は前記臨床検査実施装置から臨床検査依頼情報についての臨床検査の完了通知を受ける受信手段と、
前記受け付けた臨床検査依頼情報毎に及び／又は前記完了通知を受けた臨床検査依頼情報毎に対応する入院外来区分を前記臨床検査管理データベースから取得する患者情報取得手段と、
前記受け付けた臨床検査依頼情報毎に及び／又は前記完了通知を受けた臨床検査依頼情報毎に対応する至急区分を前記臨床検査管理データベースから取得する検査情報取得手段と、
前記受け付けた臨床検査依頼情報毎に及び／又は前記完了通知を受けた臨床検査依頼情報毎に取得した入院外来区分に付与された重み付けコスト値及び至急区分に付与された重み付けコスト値を前記臨床検査管理データベースから取得するコスト値取得手段と、
前記受け付けた臨床検査依頼情報毎に及び／又は前記完了通知を受けた臨床検査依頼情報毎に取得した重み付けコスト値を、前記受け付けた臨床検査依頼情報毎に及び／又は前記完了通知を受けた臨床検査依頼情報毎に合算してコスト合算値を生成するコスト合算値生成手段と、
前記受け付けた臨床検査依頼情報毎に及び／又は前記完了通知を受けた臨床検査依頼情報毎に生成したコスト合算値に基づいて、臨床検査実施指示時及び／又は臨床検査結果提供指示時に比較対象となる複数の臨床検査依頼情報間における、臨床検査実施指示及び／又は臨床検査結果提供指示の優先度を判定する優先度判定手段と、
前記判定した臨床検査実施指示及び／又は臨床検査結果提供指示の優先度に従って、各臨床検査依頼情報についての臨床検査実施を前記臨床検査実施装置に指示し及び／又は各臨床検査依頼情報についての臨床検査結果提供を前記上位システムに指示する処理指示手段と、を備えることを特徴とする臨床検査システム。
【請求項２】
入院外来区分、至急区分及び各区分の内容に応じて付与された重み付けコスト値を格納する臨床検査管理データベースと、
臨床検査依頼情報を受け付け及び／又は臨床検査依頼情報についての臨床検査の完了通知を受ける受信手段と、
前記受け付けた臨床検査依頼情報毎に及び／又は前記完了通知を受けた臨床検査依頼情報毎に対応する入院外来区分を前記臨床検査管理データベースから取得する患者情報取得手段と、
前記受け付けた臨床検査依頼情報毎に及び／又は前記完了通知を受けた臨床検査依頼情報毎に対応する至急区分を前記臨床検査管理データベースから取得する検査情報取得手段と、
前記受け付けた臨床検査依頼情報毎に及び／又は前記完了通知を受けた臨床検査依頼情報毎に取得した入院外来区分に付与された重み付けコスト値及び至急区分に付与された重み付けコスト値を前記臨床検査管理データベースから取得するコスト値取得手段と、
前記受け付けた臨床検査依頼情報毎に及び／又は前記完了通知を受けた臨床検査依頼情報毎に取得した重み付けコスト値を、前記受け付けた臨床検査依頼情報毎に及び／又は前記完了通知を受けた臨床検査依頼情報毎に合算してコスト合算値を生成するコスト合算値生成手段と、
前記受け付けた臨床検査依頼情報毎に及び／又は前記完了通知を受けた臨床検査依頼情報毎に生成したコスト合算値に基づいて、臨床検査実施指示時及び／又は臨床検査結果提供指示時に比較対象となる複数の臨床検査依頼情報間における、臨床検査実施指示及び／又は臨床検査結果提供指示の優先度を判定する優先度判定手段と、
前記判定した臨床検査実施指示及び／又は臨床検査結果提供指示の優先度に従って、各臨床検査依頼情報についての臨床検査実施指示及び／又は各臨床検査依頼情報についての臨床検査結果提供指示をする処理指示手段と、を備えることを特徴とする臨床検査処理装置。
【請求項３】
前記臨床検査管理データベースが、さらに、患者の受診する科、病棟及び／又は生年月日に関する情報並びにこれらの各情報の内容に応じて付与された重み付けコスト値を格納し、
前記患者情報取得手段が、さらに、前記受け付けた臨床検査依頼情報毎に及び／又は前記完了通知を受けた臨床検査依頼情報毎に対応する患者の受診する科、病棟及び／又は生年月日に関する情報を前記臨床検査管理データベースから取得し、
前記コスト値取得手段が、さらに、前記受け付けた臨床検査依頼情報毎に及び／又は前記完了通知を受けた臨床検査依頼情報毎に取得した患者の受診する科、病棟及び／又は生年月日に関する情報に付与された重み付けコスト値を前記臨床検査管理データベースから取得することを特徴とする請求項２に記載の臨床検査処理装置。
【請求項４】
入院外来区分、至急区分及び各区分の内容に応じて付与された重み付けコスト値を格納する臨床検査管理データベース、臨床検査実施装置及び上位システムと、ネットワークを介して通信可能に接続されたコンピュータが、
前記上位システムから臨床検査依頼情報を受け付けるステップと、
前記受け付けた臨床検査依頼情報毎に対応する入院外来区分を前記臨床検査管理データベースから取得するステップと、
前記受け付けた臨床検査依頼情報毎に対応する至急区分を前記臨床検査管理データベースから取得するステップと、
前記受け付けた臨床検査依頼情報毎に取得した入院外来区分に付与された重み付けコスト値及び至急区分に付与された重み付けコスト値を前記臨床検査管理データベースから取得するステップと、
前記受け付けた臨床検査依頼情報毎に取得した重み付けコスト値を前記受け付けた臨床検査依頼情報毎に合算してコスト合算値を生成するステップと、
前記受け付けた臨床検査依頼情報毎に生成したコスト合算値に基づいて、臨床検査実施指示時に比較対象となる複数の臨床検査依頼情報間における、臨床検査実施指示の優先度を判定するステップと、
前記判定した臨床検査実施指示の優先度に従って、各臨床検査依頼情報についての臨床検査実施を前記臨床検査実施装置に指示するステップと、を備えることを特徴とする臨床検査処理方法。
【請求項５】
前記臨床検査管理データベースが、さらに臨床検査依頼情報受付時間を格納し、
前記コンピュータが、
前記臨床検査実施指示時に比較対象となる複数の臨床検査依頼情報のうち、同一の入院外来区分と至急区分の組合せを有する臨床検査依頼情報が複数存在する場合には、前記臨床検査実施指示の優先度を判定するステップに加えて、
前記同一の区分の組合せを有する臨床検査依頼情報毎に対応する臨床検査依頼情報受付時間を前記臨床検査管理データベースから取得するステップと、
前記取得した臨床検査依頼情報受付時間の先後によって、前記同一の区分の組合せを有する複数の臨床検査依頼情報間における、臨床検査実施指示の優先度を判定するステップと、を備えることを特徴とする請求項４に記載の臨床検査処理方法。
【請求項６】
前記臨床検査管理データベースが、さらに臨床検査実施予定時間を格納し、
前記コンピュータが、
前記臨床検査実施指示時に比較対象となる複数の臨床検査依頼情報のうち、入院外来区分と至急区分の組合せは異なるが、同一のコスト合算値を有する臨床検査依頼情報が複数存在する場合には、前記臨床検査実施指示の優先度を判定するステップに加えて、
前記同一のコスト合算値を有する臨床検査依頼情報毎に対応する臨床検査実施予定時間を前記臨床検査管理データベースから取得するステップと、
前記取得した臨床検査実施予定時間の先後によって、前記同一のコスト合算値を有する複数の臨床検査依頼情報間における、臨床検査実施指示の優先度を判定するステップと、を備えることを特徴とする請求項４又は５に記載の臨床検査処理方法。
【請求項７】
前記コンピュータが、
前記指示に従い実施された各臨床検査依頼情報についての臨床検査の完了通知を受けるステップと、
前記完了通知を受けた臨床検査依頼情報毎に対応する入院外来区分を前記臨床検査管理データベースから取得するステップと、
前記完了通知を受けた臨床検査依頼情報毎に対応する至急区分を前記臨床検査管理データベースから取得するステップと、
前記完了通知を受けた臨床検査依頼情報毎に取得した入院外来区分に付与された重み付けコスト値及び至急区分に付与された重み付けコスト値を前記臨床検査管理データベースから取得するステップと、
前記完了通知を受けた臨床検査依頼情報毎に取得した重み付けコスト値を前記完了通知を受けた臨床検査依頼情報毎に合算してコスト合算値を生成するステップと、
前記完了通知を受けた臨床検査依頼情報毎に生成したコスト合算値に基づいて、臨床検査結果提供時に比較対象となる複数の臨床検査依頼情報間における、臨床検査結果提供指示の優先度を判定するステップと、
前記判定した臨床検査結果提供指示の優先度に従って、各臨床検査依頼情報についての臨床検査結果提供を前記上位システムに指示するステップと、を備えることを特徴とする請求項４乃至６のいずれかに記載の臨床検査処理方法。
【請求項８】
前記臨床検査管理データベースが、さらに臨床検査完了時間を格納し、
前記コンピュータが、
前記臨床検査結果提供指示時に比較対象となる複数の臨床検査依頼情報のうち、同一の入院外来区分と至急区分の組合せを有する臨床検査依頼情報が複数存在する場合には、前記臨床検査結果提供指示の優先度を判定するステップに加えて、
前記同一の区分の組合せを有する臨床検査依頼情報毎に対応する臨床検査完了時間を前記臨床検査管理データベースから取得するステップと、
前記取得した臨床検査完了時間の先後によって、前記同一の区分の組合せを有する複数の臨床検査依頼情報間における、臨床検査結果提供指示の優先度を判定するステップと、を備えることを特徴とする請求項７に記載の臨床検査処理方法。
【請求項９】
前記臨床検査管理データベースが、さらに診察予定時間及び手術開始時間を格納し、
前記コンピュータが、
前記臨床検査結果提供指示時に比較対象となる複数の臨床検査依頼情報のうち、入院外来区分と至急区分の組合せは異なるが、同一のコスト合算値を有する臨床検査依頼情報が複数存在する場合には、前記臨床検査結果提供指示の優先度を判定するステップに加えて、
前記同一のコスト合算値を有する臨床検査依頼情報毎に対応する診察予定時間又は手術開始時間を前記臨床検査管理データベースから取得するステップと、
前記取得した診察予定時間及び手術開始時間の先後によって、前記同一のコスト合算値を有する複数の臨床検査依頼情報間における、臨床検査結果提供指示の優先度を判定するステップと、を備えることを特徴とする請求項７又は８に記載の臨床検査処理方法。
【請求項１０】
入院外来区分、至急区分及び各区分の内容に応じて付与された重み付けコスト値を格納する臨床検査管理データベース及び上位システムと、ネットワークを介して通信可能に接続されたコンピュータが、
前記上位システムから臨床検査依頼情報を受け付けるステップと、
前記受け付けた臨床検査依頼情報毎に対応する入院外来区分を前記臨床検査管理データベースから取得するステップと、
前記受け付けた臨床検査依頼情報毎に対応する至急区分を前記臨床検査管理データベースから取得するステップと、
前記受け付けた臨床検査依頼情報毎に取得した入院外来区分に付与された重み付けコスト値及び至急区分に付与された重み付けコスト値を前記臨床検査管理データベースから取得するステップと、
前記受け付けた臨床検査依頼情報毎に取得した重み付けコスト値を前記受け付けた臨床検査依頼情報毎に合算してコスト合算値を生成するステップと、
前記受け付けた臨床検査依頼情報毎に生成したコスト合算値に基づいて、臨床検査結果提供時に比較対象となる複数の臨床検査依頼情報間における、臨床検査結果提供指示の優先度を判定するステップと、
前記判定した臨床検査結果提供指示の優先度に従って、各臨床検査依頼情報についての臨床検査結果提供を前記上位システムに指示するステップと、を備えることを特徴とする臨床検査処理方法。
【発明の詳細な説明】
【技術分野】
【０００１】
本発明は、検査結果を診療サイドに提供する臨床検査システム、臨床検査処理装置及び臨床検査処理方法に関し、特に、患者ごとの様々なステータスが混在する状況において、患者ごとのステータスに応じて迅速に検査結果を提供することができる臨床検査システム、臨床検査処理装置及び臨床検査処理方法に関するものである。
【背景技術】
【０００２】
従来の臨床検査システムでは電子カルテ等の上位システムから検査の依頼情報を受信し、検査の内容に応じて、受信した順にラベルプリンタへバーコードラベル印刷の指示が行われていた。これに従い、検査技師は印刷されたバーコードラベルを採血管に貼り、患者の採血を実施し、採血後、採血管を自動分析装置にセットする。臨床検査システムは、当該検査結果を自動分析装置から受信し、検査が完了した患者の検査結果を完了した順に上位システムへ送信していた。
【０００３】
また、検査報告書作成システムとしては、例えば、特許文献１や特許文献２に開示されている技術が存在する。
【０００４】
特許文献１は、各検査項目に対して出力緊急度が設定され、検査項目のうち所定の出力緊急度が設定された検査項目群の検査が全て完了した場合に、当該検査項目群に関する検査結果報告書が作成される検査報告書作成出力システムを開示している。
【０００５】
特許文献２は、検査結果記憶手段と、検査報告書作成条件記憶手段と、検査報告書作成手段と、検査報告書記憶手段と、送信手段とを備える検査報告書作成システムを開示している。
【先行技術文献】
【特許文献】
【０００６】
【特許文献１】特開平０７−０４４６１５号公報
【特許文献２】特開２００７−１０８８６４号公報
【発明の概要】
【発明が解決しようとする課題】
【０００７】
前記従来の臨床検査システムでは、至急報告が必要な患者や病院の滞在時間が少ない傾向にある外来の患者であっても、至急ではない患者や入院患者と同じように受付順にバーコードラベル印刷や検査結果送信の処理をするため、急ぐ患者にとっては必要以上に待ち時間が発生してしまうという問題があった。
【０００８】
また、特許文献１が開示する検査報告書作成出力システムは、一部の検査項目の検査が完了した段階で中間報告的に検査報告書を作成することにより検査報告書の作成を迅速化するものであるが、複数の患者間における検査の実施や検査結果の提供の順序を考慮したものではない。
【０００９】
また、特許文献２が開示する検査報告書作成システムは、検査結果の報告先の要望に応じて、検査結果報告書の内容や形式を適宜変更するものであるが、検査結果を迅速に患者に提供し得るものではない。
【００１０】
そこで、本発明は、このような実情に鑑みて、患者ごとに異なるステータスが混在していても、処理の輻輳状態に影響されることなく、患者ごとのステータスを考慮し、複数の患者間でその優先度に応じて適切に処理を行い、患者にとっての待ち時間を最小にすることが可能な臨床検査システム、臨床検査処理装置及び臨床検査処理方法を提供しようとするものである。
【課題を解決するための手段】
【００１１】
上記課題に鑑みて鋭意研究の結果、本発明者は、患者ごとに「大至急」、「至急」、「通常」等の至急区分と、「入院」、「外来」等の入院外来区分によって管理し、それぞれの区分に重み付けのコスト値を付与し、至急区分と入院外来区分のコスト値を合算することにより、優先度として扱うことから、臨床検査の実施の指示時と検査結果提供時にこの優先度を計算し、優先度順に処理することに想到した。
【００１２】
すなわち、本発明の臨床検査システムは、臨床検査処理装置と、臨床検査管理データベースと、臨床検査実施装置とがネットワークを介して通信可能に接続された臨床検査システムであって、前記臨床検査システムが、前記ネットワークを介して上位システムと通信可能に接続されており、前記臨床検査管理データベースが、入院外来区分、至急区分及び各区分の内容に応じて付与された重み付けコスト値を格納し、前記臨床検査処理装置が、前記上位システムから臨床検査依頼情報を受け付け及び／又は前記臨床検査実施装置から臨床検査依頼情報についての臨床検査の完了通知を受ける受信手段と、前記受け付けた臨床検査依頼情報毎に及び／又は前記完了通知を受けた臨床検査依頼情報毎に対応する入院外来区分を前記臨床検査管理データベースから取得する患者情報取得手段と、前記受け付けた臨床検査依頼情報毎に及び／又は前記完了通知を受けた臨床検査依頼情報毎に対応する至急区分を前記臨床検査管理データベースから取得する検査情報取得手段と、前記受け付けた臨床検査依頼情報毎に及び／又は前記完了通知を受けた臨床検査依頼情報毎に取得した入院外来区分に付与された重み付けコスト値及び至急区分に付与された重み付けコスト値を前記臨床検査管理データベースから取得するコスト値取得手段と、前記受け付けた臨床検査依頼情報毎に及び／又は前記完了通知を受けた臨床検査依頼情報毎に取得した重み付けコスト値を、前記受け付けた臨床検査依頼情報毎に及び／又は前記完了通知を受けた臨床検査依頼情報毎に合算してコスト合算値を生成するコスト合算値生成手段と、前記受け付けた臨床検査依頼情報毎に及び／又は前記完了通知を受けた臨床検査依頼情報毎に生成したコスト合算値に基づいて、臨床検査実施指示時及び／又は臨床検査結果提供指示時に比較対象となる複数の臨床検査依頼情報間における、臨床検査実施指示及び／又は臨床検査結果提供指示の優先度を判定する優先度判定手段と、前記判定した臨床検査実施指示及び／又は臨床検査結果提供指示の優先度に従って、各臨床検査依頼情報についての臨床検査実施を前記臨床検査実施装置に指示し及び／又は各臨床検査依頼情報についての臨床検査結果提供を前記上位システムに指示する処理指示手段と、を備えることを特徴とする。
【００１３】
また、本発明の臨床検査処理装置は、入院外来区分、至急区分及び各区分の内容に応じて付与された重み付けコスト値を格納する臨床検査管理データベースと、臨床検査依頼情報を受け付け及び／又は臨床検査依頼情報についての臨床検査の完了通知を受ける受信手段と、前記受け付けた臨床検査依頼情報毎に及び／又は前記完了通知を受けた臨床検査依頼情報毎に対応する入院外来区分を前記臨床検査管理データベースから取得する患者情報取得手段と、前記受け付けた臨床検査依頼情報毎に及び／又は前記完了通知を受けた臨床検査依頼情報毎に対応する至急区分を前記臨床検査管理データベースから取得する検査情報取得手段と、前記受け付けた臨床検査依頼情報毎に及び／又は前記完了通知を受けた臨床検査依頼情報毎に取得した入院外来区分に付与された重み付けコスト値及び至急区分に付与された重み付けコスト値を前記臨床検査管理データベースから取得するコスト値取得手段と、前記受け付けた臨床検査依頼情報毎に及び／又は前記完了通知を受けた臨床検査依頼情報毎に取得した重み付けコスト値を、前記受け付けた臨床検査依頼情報毎に及び／又は前記完了通知を受けた臨床検査依頼情報毎に合算してコスト合算値を生成するコスト合算値生成手段と、前記受け付けた臨床検査依頼情報毎に及び／又は前記完了通知を受けた臨床検査依頼情報毎に生成したコスト合算値に基づいて、臨床検査実施指示時及び／又は臨床検査結果提供指示時に比較対象となる複数の臨床検査依頼情報間における、臨床検査実施指示及び／又は臨床検査結果提供指示の優先度を判定する優先度判定手段と、前記判定した臨床検査実施指示及び／又は臨床検査結果提供指示の優先度に従って、各臨床検査依頼情報についての臨床検査実施指示及び／又は各臨床検査依頼情報についての臨床検査結果提供指示をする処理指示手段と、を備えることを特徴とする。
【００１４】
本発明の臨床検査処理装置は、好ましくは、前記臨床検査管理データベースが、さらに、患者の受診する科、病棟及び／又は生年月日に関する情報並びにこれらの各情報の内容に応じて付与された重み付けコスト値を格納し、前記患者情報取得手段が、さらに、前記受け付けた臨床検査依頼情報毎に及び／又は前記完了通知を受けた臨床検査依頼情報毎に対応する患者の受診する科、病棟及び／又は生年月日に関する情報を前記臨床検査管理データベースから取得し、前記コスト値取得手段が、さらに、前記受け付けた臨床検査依頼情報毎に及び／又は前記完了通知を受けた臨床検査依頼情報毎に取得した患者の受診する科、病棟及び／又は生年月日に関する情報に付与された重み付けコスト値を前記臨床検査管理データベースから取得することを特徴とする。
【００１５】
また、本発明の臨床検査処理方法は、入院外来区分、至急区分及び各区分の内容に応じて付与された重み付けコスト値を格納する臨床検査管理データベース、臨床検査実施装置及び上位システムと、ネットワークを介して通信可能に接続されたコンピュータが、前記上位システムから臨床検査依頼情報を受け付けるステップと、前記受け付けた臨床検査依頼情報毎に対応する入院外来区分を前記臨床検査管理データベースから取得するステップと、前記受け付けた臨床検査依頼情報毎に対応する至急区分を前記臨床検査管理データベースから取得するステップと、前記受け付けた臨床検査依頼情報毎に取得した入院外来区分に付与された重み付けコスト値及び至急区分に付与された重み付けコスト値を前記臨床検査管理データベースから取得するステップと、前記受け付けた臨床検査依頼情報毎に取得した重み付けコスト値を前記受け付けた臨床検査依頼情報毎に合算してコスト合算値を生成するステップと、前記受け付けた臨床検査依頼情報毎に生成したコスト合算値に基づいて、臨床検査実施指示時に比較対象となる複数の臨床検査依頼情報間における、臨床検査実施指示の優先度を判定するステップと、前記判定した臨床検査実施指示の優先度に従って、各臨床検査依頼情報についての臨床検査実施を前記臨床検査実施装置に指示するステップと、を備えることを特徴とする。
【００１６】
本発明の臨床検査処理方法は、好ましくは、前記臨床検査管理データベースが、さらに臨床検査依頼情報受付時間を格納し、前記コンピュータが、前記臨床検査実施指示時に比較対象となる複数の臨床検査依頼情報のうち、同一の入院外来区分と至急区分の組合せを有する臨床検査依頼情報が複数存在する場合には、前記臨床検査実施指示の優先度を判定するステップに加えて、前記同一の区分の組合せを有する臨床検査依頼情報毎に対応する臨床検査依頼情報受付時間を前記臨床検査管理データベースから取得するステップと、前記取得した臨床検査依頼情報受付時間の先後によって、前記同一の区分の組合せを有する複数の臨床検査依頼情報間における、臨床検査実施指示の優先度を判定するステップと、を備えることを特徴とする。
【００１７】
また、本発明の臨床検査処理方法は、好ましくは、前記臨床検査管理データベースが、さらに臨床検査実施予定時間を格納し、前記コンピュータが、前記臨床検査実施指示時に比較対象となる複数の臨床検査依頼情報のうち、入院外来区分と至急区分の組合せは異なるが、同一のコスト合算値を有する臨床検査依頼情報が複数存在する場合には、前記臨床検査実施指示の優先度を判定するステップに加えて、前記同一のコスト合算値を有する臨床検査依頼情報毎に対応する臨床検査実施予定時間を前記臨床検査管理データベースから取得するステップと、前記取得した臨床検査実施予定時間の先後によって、前記同一のコスト合算値を有する複数の臨床検査依頼情報間における、臨床検査実施指示の優先度を判定するステップと、を備えることを特徴とする。
【００１８】
また、本発明の臨床検査処理方法は、好ましくは、前記コンピュータが、前記指示に従い実施された各臨床検査依頼情報についての臨床検査の完了通知を受けるステップと、前記完了通知を受けた臨床検査依頼情報毎に対応する入院外来区分を前記臨床検査管理データベースから取得するステップと、前記完了通知を受けた臨床検査依頼情報毎に対応する至急区分を前記臨床検査管理データベースから取得するステップと、前記完了通知を受けた臨床検査依頼情報毎に取得した入院外来区分に付与された重み付けコスト値及び至急区分に付与された重み付けコスト値を前記臨床検査管理データベースから取得するステップと、前記完了通知を受けた臨床検査依頼情報毎に取得した重み付けコスト値を前記完了通知を受けた臨床検査依頼情報毎に合算してコスト合算値を生成するステップと、前記完了通知を受けた臨床検査依頼情報毎に生成したコスト合算値に基づいて、臨床検査結果提供時に比較対象となる複数の臨床検査依頼情報間における、臨床検査結果提供指示の優先度を判定するステップと、前記判定した臨床検査結果提供指示の優先度に従って、各臨床検査依頼情報についての臨床検査結果提供を前記上位システムに指示するステップと、を備えることを特徴とする。
【００１９】
また、本発明の臨床検査処理方法は、好ましくは、前記臨床検査管理データベースが、さらに臨床検査完了時間を格納し、前記コンピュータが、前記臨床検査結果提供指示時に比較対象となる複数の臨床検査依頼情報のうち、同一の入院外来区分と至急区分の組合せを有する臨床検査依頼情報が複数存在する場合には、前記臨床検査結果提供指示の優先度を判定するステップに加えて、前記同一の区分の組合せを有する臨床検査依頼情報毎に対応する臨床検査完了時間を前記臨床検査管理データベースから取得するステップと、前記取得した臨床検査完了時間の先後によって、前記同一の区分の組合せを有する複数の臨床検査依頼情報間における、臨床検査結果提供指示の優先度を判定するステップと、を備えることを特徴とする。
【００２０】
また、本発明の臨床検査処理方法は、好ましくは、前記臨床検査管理データベースが、さらに診察予定時間及び手術開始時間を格納し、前記コンピュータが、前記臨床検査結果提供指示時に比較対象となる複数の臨床検査依頼情報のうち、入院外来区分と至急区分の組合せは異なるが、同一のコスト合算値を有する臨床検査依頼情報が複数存在する場合には、前記臨床検査結果提供指示の優先度を判定するステップに加えて、前記同一のコスト合算値を有する臨床検査依頼情報毎に対応する診察予定時間又は手術開始時間を前記臨床検査管理データベースから取得するステップと、前記取得した診察予定時間及び手術開始時間の先後によって、前記同一のコスト合算値を有する複数の臨床検査依頼情報間における、臨床検査結果提供指示の優先度を判定するステップと、を備えることを特徴とする。
【００２１】
また、本発明の臨床検査処理方法は、入院外来区分、至急区分及び各区分の内容に応じて付与された重み付けコスト値を格納する臨床検査管理データベース及び上位システムと、ネットワークを介して通信可能に接続されたコンピュータが、前記上位システムから臨床検査依頼情報を受け付けるステップと、前記受け付けた臨床検査依頼情報毎に対応する入院外来区分を前記臨床検査管理データベースから取得するステップと、前記受け付けた臨床検査依頼情報毎に対応する至急区分を前記臨床検査管理データベースから取得するステップと、前記受け付けた臨床検査依頼情報毎に取得した入院外来区分に付与された重み付けコスト値及び至急区分に付与された重み付けコスト値を前記臨床検査管理データベースから取得するステップと、前記受け付けた臨床検査依頼情報毎に取得した重み付けコスト値を前記受け付けた臨床検査依頼情報毎に合算してコスト合算値を生成するステップと、前記受け付けた臨床検査依頼情報毎に生成したコスト合算値に基づいて、臨床検査結果提供時に比較対象となる複数の臨床検査依頼情報間における、臨床検査結果提供指示の優先度を判定するステップと、前記判定した臨床検査結果提供指示の優先度に従って、各臨床検査依頼情報についての臨床検査結果提供を前記上位システムに指示するステップと、を備えることをも特徴とする。
【発明の効果】
【００２２】
本発明によれば、患者の至急区分、入院外来区分等に基づく重み付けコスト値の合算値により、優先度を動的に生成することができる。そして生成した優先度に基づいて、臨床検査の実施や臨床検査の結果の提供の順番を判定することができる。これにより、様々な患者のステータスが混在する状況においても、患者ごとのステータスに応じて臨床検査を実施し及び／又は迅速に臨床検査結果を提供することができる。その結果、特に急ぐ患者には早く検査結果を提供できる等、患者ごとのステータスに応じた診療待ち時間を短縮することができ、且つ大幅な提供遅延が発生しにくくなるため、全体として、患者満足度を向上させることができる。
【図面の簡単な説明】
【００２３】
【図１】図１は、本実施の形態にかかる臨床検査システムのシステム構成の一例を示す説明図である。
【図２】図２は、本実施の形態にかかる臨床検査処理装置１０１のハードウェア構成の一例を示すブロック図である。
【図３】図３は、本実施の形態にかかる臨床検査処理装置１０１の機能構成の一例を示すブロック図である。
【図４】図４は、臨床検査管理ＤＢ１０２に格納される検査情報の一例を示すデータ構成図である。
【図５】図５は、臨床検査管理ＤＢ１０２に格納される患者情報およびコスト値情報の一例を示すデータ構成図である。
【図６】図６は、本実施の形態にかかる臨床検査処理装置１０１によるバーコードラベル発行時（臨床検査実施指示時）における優先度判定処理の手順の一例を示すフローチャートである。
【図７】図７は、本実施の形態にかかる臨床検査処理装置１０１による臨床検査結果提供指示時における優先度判定処理の手順の一例を示すフローチャートである。
【発明を実施するための形態】
【００２４】
以下に添付図面を参照して、この発明にかかる臨床検査システム、臨床検査処理装置及び臨床検査処理方法の好適な実施の形態の一例を詳細に説明する。
【００２５】
（システム構成）
図１は、本実施の形態にかかる臨床検査システムのシステム構成の一例を示す説明図である。図１において、臨床検査システム１００は、臨床検査処理装置１０１と、臨床検査管理ＤＢ（データベース）１０２と、臨床検査実施装置であるラベルプリンタ１０３と、を備えて構成されている。臨床検査処理装置１０１、臨床検査管理ＤＢ１０２及びラベルプリンタ１０３は、ネットワーク１０４を介して相互に通信可能に接続されている。
【００２６】
臨床検査システム１００は、ネットワーク１０４を介して、電子カルテ等の上位システム１０５と通信可能に接続されている。すなわち、臨床検査システム１００を構成している臨床検査処理装置１０１、臨床検査管理ＤＢ１０２及びラベルプリンタ１０３は、ネットワーク１０４を介して上位システム１０５と通信可能に接続されている。
【００２７】
臨床検査システム１００は、上位システム１０５から臨床検査依頼情報を受け付けて、上位システム１０５へ臨床検査結果を送信している。
【００２８】
臨床検査処理装置１０１は、上位システム１０５から臨床検査依頼情報を受け付けて、臨床検査実施装置１０３へ臨床検査実施の指示をし及び／又は上位システム１０５へ臨床検査結果を送信している。また、臨床検査処理装置１０１は、上位システム１０５からの臨床検査依頼情報ではなく、臨床検査実施装置１０３等から臨床検査の完了通知を受けて、上位システム１０５へ該臨床検査結果を送信することも可能である。
【００２９】
臨床検査処理装置１０１は、ネットワーク１０４を介して、臨床検査管理ＤＢ１０２から比較対象となる複数の臨床検査依頼情報についての入院外来区分５０７等の患者情報５００、該患者情報に関連する至急区分４０２等の検査情報４００、及びそれらの重み付けコスト値情報５１０を取得する。
【００３０】
ここで、比較対象となる複数の臨床検査依頼情報とは、例えば、臨床検査処理装置１０１が、上位システム１０５から同時に複数の臨床検査依頼情報を受け付けた場合や臨床検査実施装置１０３等から同時に複数の臨床検査依頼情報についての臨床検査の完了通知を受けた場合の当該複数の臨床検査依頼情報を意味する。また、これらを同時に受信した場合だけでなく、例えば、５分間等、所定時間毎に時間を区切って、該区切られた所定時間内に、臨床検査処理装置１０１が受け付けた複数の臨床検査依頼情報や完了通知を受けた臨床検査依頼情報を比較対象となる複数の臨床検査依頼情報としてもよい。このように、比較対象となる複数の臨床検査依頼情報が発生することによって、本発明により該複数の臨床検査依頼情報に対して優先度の判定が行われるようになる。
【００３１】
本発明において、優先度の判定は、臨床検査実施指示時及び臨床検査結果提供時の両方で行ってもよいし、いずれか一方の時点でのみ行うこととしてもよい。
【００３２】
臨床検査処理装置１０１は、受信した臨床検査依頼情報（特に限定を付さずに、単に臨床検査依頼情報という場合には、上位システム１０５から受け付けた臨床検査依頼情報と臨床検査実施装置１０３等から完了通知を受けた臨床検査依頼情報の両者又はいずれか一方を意味し、以下同様とする。）毎に入院外来区分５０７および至急区分４０２を取得し、これらの区分に付与された重み付けコスト値５１２と、必要に応じて任意の情報についての重み付けコスト値５１２とのコスト合算値を生成して、これに基づいて臨床検査実施指示及び／又は臨床検査結果提供指示の優先度を判定し、該優先度に従い、ネットワーク１０４を介して、ラベルプリンタ１０３へバーコードラベル印刷指示（すなわち、臨床検査実施指示）を行い、及び／又は上位システム１０５へ検査の結果情報を送信（すなわち、臨床検査結果提供指示）する。なお、臨床検査処理装置１０１の構成の詳細は後述する。
【００３３】
臨床検査管理ＤＢ１０２は、複数の患者の患者情報５００と臨床検査に関する検査情報４００と、これらの情報の関連付けと、コスト値情報５１０、即ち、入院外来区分５０７、至急区分４０２等の区分５１１に付与された重み付けコスト値５１２を格納する。
【００３４】
臨床検査管理ＤＢ１０２は臨床検査処理装置１０１に設けられていてもよい。なお、臨床検査管理ＤＢ１０２のデータ構成の詳細は後述する。
【００３５】
臨床検査実施装置１０３は、具体的に臨床検査を実施する血液自動分析装置等や、臨床検査の実施を補助する装置、例えば、採血を実施するにあたり採血管に貼付されるバーコードラベルを印刷するラベルプリンタ等を含むものである。本実施形態では、臨床検査実施装置１０３としてラベルプリンタを用いている。臨床検査実施装置１０３としてラベルプリンタを用いる場合は、臨床検査処理装置１０１が、ラベルプリンタ１０３に対してバーコードラベル印刷の指示を行うことが、臨床検査実施の指示を行うことを意味する。
【００３６】
ラベルプリンタ１０３は、上位システム１０５からの臨床検査依頼情報に基づいて、臨床検査処理装置１０１からバーコードラベル印刷指示を受けて、バーコードラベルを印刷する。
【００３７】
上位システム１０５としては、例えば、電子カルテシステム等を利用することが可能である。上位システム１０５は、臨床検査依頼情報を臨床検査システム１００（具体的には臨床検査処理装置１０１）に対して送信するとともに、臨床検査システム１００（具体的には臨床検査処理装置１０１）から臨床検査結果を受信し、受信した臨床検査結果を医師や患者に提供する。ここで、臨床検査処理装置１０１が、上位システム１０５に対して臨床検査結果を送信することが、臨床検査結果提供の指示を行うことを意味する。
【００３８】
（臨床検査処理装置１０１のハードウェア構成）
図２は本実施の形態にかかる臨床検査処理装置１０１のハードウェア構成の一例を示すブロック図である。
【００３９】
図２に示すように、臨床検査処理装置１０１は、コンピュータであり、ディスプレイ２０１と、キーボード２０２と、マウス２０３と、ＮＩＣ（ネットワークインタフェースコントローラ）２０４と、ＨＤＤ（ハードディスクドライブ）２０５と、ＨＤ（ハードディスク）２０６と、ＲＡＭ（ランダムアクセスメモリ）２０７と、ＲＯＭ（リードオンリーメモリ）２０８と、ＣＰＵ（セントラルプロセッシングユニット）２０９とを備える。各構成部２０１〜２０９のそれぞれは、バス２００に接続される。
【００４０】
ＣＰＵ２０９は、臨床検査処理装置１０１の全体の制御を司る。ＲＯＭ２０８は、臨床検査処理装置１０１を起動させるブートプログラムや、その他プログラムの各種データを記憶する。ＲＡＭ２０７は、ＣＰＵ２０９のワークエリアとして使用される。ＨＤＤ２０５は、ＨＤ２０６に対するデータの読み込みおよび書き込みを制御する。ＨＤ２０６は、各種データを記憶する。ディスプレイ２０１は、各種データを表示する。ＮＩＣ２０４は、臨床検査処理装置１０１と他の情報処理装置とのデータ通信を制御する。キーボード２０２と、マウス２０３は、臨床検査処理装置１０１への情報入力手段として機能する。
【００４１】
（臨床検査処理装置１０１の機能構成）
図３は、本実施の形態にかかる臨床検査処理装置１０１の機能構成を示すブロック図である。
【００４２】
図３に示すように、臨床検査処理装置１０１は、患者情報取得部３００と、検査情報取得部３０１と、コスト合算値生成部３０２と、コスト値取得部３０３と、優先度判定部３０４と、処理指示部３０５と、受信部３０６とを備える。
【００４３】
受信部３０６は、上位システム１０５から臨床検査依頼情報を受け付ける。受信部３０６が、上位システム１０５から同時に又は所定時間内に、複数の臨床検査依頼情報を受け付けると、該複数の臨床検査依頼情報を比較対象となる複数の臨床検査依頼情報として、臨床検査実施の指示及び／又は臨床検査結果提供の指示を行う順序の優先度の判定が行われる。また、特に、臨床検査結果提供の指示を行う順序の優先度の判定は、上位システム１０５からの複数の臨床検査依頼情報の受け付けではなく、臨床検査実施装置１０３又はその他の装置等からの複数の臨床検査依頼情報についての臨床検査の完了通知を受けることにより、該複数の臨床検査依頼情報を比較対象となる複数の臨床検査依頼情報として、臨床検査結果提供の指示を行う順序の優先度の判定が行われるようにしてもよい。
【００４４】
患者情報取得部３００は、上位システム１０５から受け付けた臨床検査依頼情報毎に及び／又は臨床検査実施装置１０３等から完了通知を受けた臨床検査依頼情報毎に、臨床検査管理ＤＢ１０２から、患者情報５００を取得する。具体的には、患者情報取得部３００は、受信部３０６が受信した臨床検査依頼情報毎に該当する患者の患者情報５００を取得する。ここで取得する患者情報５００としては、例えば、入院外来区分５０７などであり、必要に応じて患者の生年月日５０４、患者が受診する科５０５、病棟５０６等を取得するようにしてもよい。
【００４５】
検査情報取得部３０１は、上位システム１０５から受け付けた臨床検査依頼情報毎に及び／又は臨床検査実施装置１０３等から完了通知を受けた臨床検査依頼情報毎に、臨床検査管理ＤＢ１０２から、患者情報取得部３００で取得した患者情報５００に関連する検査情報４００を取得する。具体的には、検査情報取得部３０１は、受信部３０６が受信した臨床検査依頼情報毎に該当する患者の検査情報４００を取得する。ここで取得する検査情報４００としては、例えば、至急区分４０２などであり、必要に応じて、臨床検査依頼情報受付時間４０３、臨床検査予約時間４０４、臨床検査完了時間４０５、臨床検査実施予定時間（採血予定時間）４０６、診察予定時間４０７、手術開始時間４０８などを取得してもよい。
【００４６】
コスト値取得部３０３は、上位システム１０５から受け付けた臨床検査依頼情報毎に及び／又は臨床検査実施装置１０３等から完了通知を受けた臨床検査依頼情報毎に、臨床検査管理ＤＢ１０２から、至急区分４０２、入院外来区分５０７等の区分５１１それぞれの重み付けコスト値５１２を取得する。重み付けコスト値は、各区分５１１の内容に応じて、臨床検査管理ＤＢ１０２に予め定義しておく。重み付けコスト値５１２は、具体的には例えば、「大至急」を４、「至急」を２、「通常」を１、「外来」を２、「入院」を１としてもよい。さらに、必要に応じて、患者情報５００に含まれる、特定の科５０５や病棟５０６、乳幼児やシルバー世代等の生年月日５０４といった項目を重み付けに使用しても良い。この場合は、例えば、緊急性の高い科５０５や病棟５０６に対しては２や３といった重み付けコスト値５１２を付与し、患者の生年月日から求めた年齢が３歳以下や７０歳以上となる生年月日５０４に対して２や３といった重み付けコスト値５１２を付与することができる。
【００４７】
コスト合算値生成部３０２は、コスト値取得部３０３が取得した、患者情報取得部３００が取得した入院外来区分５０７等と検査情報取得部３０１が取得した至急区分４０２等の区分５１１に付与された重み付けコスト値５１２を合算して、上位システム１０５から受け付けた臨床検査依頼情報毎に及び／又は臨床検査実施装置１０３等から完了通知を受けた臨床検査依頼情報毎に、コスト合算値として生成する。
【００４８】
ここで、臨床検査依頼情報毎に、患者情報取得部３００が取得する入院外来区分５０７と検査情報取得部３０１が取得する至急区分４０２の組合せのパターンは、例えば、次の６パターン、すなわち、Ａ：外来２と大至急４でコスト合算値６、Ｂ：入院１と大至急４でコスト合算値５、Ｃ：外来２と至急２でコスト合算値４、Ｄ：外来２と通常１でコスト合算値３、Ｅ：入院１と至急２でコスト合算値３、Ｆ：入院１と通常１でコスト合算値２、が想定される。
【００４９】
優先度判定部３０４は、コスト合算値生成部３０２が上位システム１０５から受け付けた臨床検査依頼情報毎に及び／又は臨床検査実施装置１０３等から完了通知を受けた臨床検査依頼情報毎に生成したコスト合算値に基づいて、上位システム１０５から受け付けた臨床検査依頼情報毎に及び／又は臨床検査実施装置１０３等から完了通知を受けた臨床検査依頼情報毎に、処理の優先度、すなわち、比較対象となる複数の臨床検査依頼情報間における、臨床検査実施指示及び／又は臨床検査結果提供指示の優先度を判定する。例えば、コスト合算値の高い患者（臨床検査依頼情報）を優先度高と定義して、優先度高の患者から順番に臨床検査を実施し及び／又は臨床検査の結果を提供するように指示される。
【００５０】
なお、前記取得した入院外来区分５０７と至急区分４０２の組合せは、臨床検査実施指示時及び／又は臨床検査結果提供指示時に比較対象となる複数の臨床検査依頼情報間で同一の組合せが存在すること、すなわち、同一パターンの区分の組合せ且つ同一のコスト合算値の患者が複数存在する事も考えられる。その場合は、まず、異なるコスト合算値を有する臨床検査依頼情報をコスト合算値によって優先度を判定するステップを行い、次にこれに加えて、比較対象となる複数の臨床検査依頼情報のうち、同一の区分の組合せを有する臨床検査依頼情報間における優先度を、臨床検査実施指示時（バーコードラベル印刷時）は検査情報取得部３０１が当該臨床検査依頼情報毎に対応する臨床検査依頼情報受付時間４０３を臨床検査管理ＤＢ１０２からさらに取得し、臨床検査結果提供指示時は検査情報取得部３０１が当該臨床検査依頼情報毎に対応する臨床検査完了時間４０５を臨床検査管理ＤＢ１０２からさらに取得し、当該時間の先後によって当該同一の区分の組合せを有する複数の臨床検査依頼情報間の優先度を判定、即ち、これらの時間の早い患者を優先度高と判定する。
【００５１】
また、例えば、さらに上記パターンのＤとＥのように、入院外来区分５０７と至急区分４０２の組合せは異なるパターンの組合せでも同一のコスト合算値となる臨床検査依頼情報が、比較対象となる複数の臨床検査依頼情報の中で複数存在することも考えられる。その場合、まず、異なるコスト合算値を有する臨床検査依頼情報をコスト合算値によって優先度を判定するステップを行い、次にこれに加えて、比較対象となる複数の臨床検査依頼情報のうち、入院外来区分と至急区分の組合せは異なるが、同一のコスト合算値を有する臨床検査依頼情報間における優先度を、臨床検査実施指示時（バーコードラベル印刷時）は検査情報取得部３０１が当該臨床検査依頼情報毎に対応する臨床検査実施予定時間（本実施形態では採血予定時間）４０６を臨床検査管理ＤＢ１０２からさらに取得し、臨床検査結果提供指示時において、入院外来区分５０７が外来の場合は検査情報取得部３０１が臨床検査管理ＤＢ１０２から当該臨床検査依頼情報毎に対応する診察予定時間４０７をさらに取得し、また入院外来区分５０７が入院の場合は検査情報取得部３０１が臨床検査管理ＤＢ１０２から当該臨床検査依頼情報毎に対応する手術開始時間４０８をさらに取得し、これらの時間を用いて比較し、当該時間の先後によって当該同一のコスト合算値を有する複数の臨床検査依頼情報間の優先度を判定、即ち、時間が早いほうを優先する。
【００５２】
処理指示部３０５は、優先度判定部３０４で判定した優先度に基づき、臨床検査実施指示時は、ネットワーク１０４を介して、ラベルプリンタ１０３へバーコードラベル印刷指示を行い、臨床検査結果提供指示時は、ネットワーク１０４を介して、上位システム１０５へ検査の結果情報を送信する。
【００５３】
上述した各機能部において、患者情報取得部３００、検査情報取得部３０１、コスト値取得部３０３は、例えば、ＮＩＣ２０４、ＲＡＭ２０７、ＲＯＭ２０８、ＣＰＵ２０９によってその機能が実現される。コスト合算値生成部３０２、優先度判定部３０４は、例えば、ＲＡＭ２０７、ＲＯＭ２０８、ＣＰＵ２０９によってその機能が実現される。処理指示部３０５、受信部３０６は、例えば、ＮＩＣ２０４、ＲＡＭ２０７、ＲＯＭ２０８、ＣＰＵ２０９によってその機能が実現される。
【００５４】
（臨床検査管理ＤＢ１０２のデータ構成）
図４および図５は、臨床検査管理ＤＢ１０２に格納される検査情報４００、患者情報５００およびコスト値情報５１０の一例を示すデータ構成図である。
【００５５】
図４に示すように、検査情報４００は、患者番号４０１、至急区分４０２、臨床検査依頼情報受付時間４０３、臨床検査予約時間４０４、臨床検査完了時間４０５、臨床検査実施予定時間（採血予定時間）４０６、診察予定時間４０７および手術開始時間４０８から構成され、臨床検査システム１００または上位システム１０５からの情報により登録される。なお、臨床検査実施予定時間４０６は、本実施形態においては、臨床検査として採血を実施する例を示しているため採血予定時間としているが、臨床検査の内容に応じて、他の臨床検査を実施する予定の時間とすることができる。
【００５６】
図５に示すように、患者情報５００は、患者番号５０１、患者氏名５０２、性別５０３、生年月日５０４、科５０５、病棟５０６および入院外来区分５０７から構成され、臨床検査システム１００または上位システム１０５からの情報により登録される。
【００５７】
図５に示すように、コスト値情報５１０は、区分５１１および重み付けコスト値５１２から構成され、臨床検査システム１００で予め登録する。例えば、入院外来区分５０７は「入院」及び「外来」という区分５１１に区分されており、至急区分４０２は「大至急」、「至急」及び「通常」という区分５１１に区分されている。また、重み付けコスト値５１２として「入院」には１、「外来」には２、「大至急」には４、「至急」には２、「通常」には１が付与されている。図５では、区分５１１として大至急と外来しか示していないが、至急、通常、入院等の区分５１１に加え、患者が受診する科や病棟、患者の生年月日等の項目を区分５１１に加えて、これらの内容に応じて重み付けコスト値５１２を付与することも可能である。例えば、緊急性の高い科や病棟に対しては２や３といった重み付けコスト値５１２を付与し、患者の生年月日から求めた年齢が３歳以下や７０歳以上となる生年月日に対して２や３といった重み付けコスト値５１２を付与することができる。
【００５８】
（優先判定処理の手順）
図６および図７は、本実施の形態にかかる臨床検査処理装置１０１による優先度判定処理の手順の一例を示すフローチャートである。尚、図６は臨床検査実施指示（バーコードラベル印刷）、図７は臨床検査結果提供指示に関するフローチャートである。図６では、複数の臨床検査依頼情報を受信部３０６が同時に受け付けたことを条件に、当該同時に受け付けた複数の臨床検査依頼情報を比較対象となる複数の臨床検査依頼情報として優先度の判定等を実施する。図７ではバーコードラベル印刷時に判定した優先度に基づいて並び替えた順に検査が完了するとは限らないため、臨床検査結果提供指示時において、受信部３０６が複数の臨床検査依頼情報についての臨床検査の完了通知を同時に受けたことを条件に優先度を判定して並び替えを行う。但し、図７に示す優先度の判定処理は、臨床検査実施指示時と同様に、受信部３０６が上位システム１０５から臨床検査依頼情報を複数同時に受け付けたことを条件に行うようにしてもよい。
【００５９】
図６においては、まず、患者情報取得部３００と、検査情報取得部３０１と、コスト値取得部３０３によって、それぞれ比較対象となる複数の臨床検査依頼情報毎に対応する患者情報５００である入院外来区分５０７と、該患者情報に関連する検査情報４００である至急区分４０２およびこれらの区分に付与された重み付けコスト値情報５１０を臨床検査管理ＤＢ１０２から取得する（ステップＳ６００）。
【００６０】
次に、コスト合算値生成部３０２によって、臨床検査依頼情報毎にステップＳ６００で取得した患者情報５００の入院外来区分５０７と、これに関連する検査情報４００の至急区分４０２の重み付けコスト値５１２からコスト合算値を生成し、コスト合算値の降順で臨床検査依頼情報を並べる（ステップＳ６０１）。例えば、まず外来２と大至急４でコスト合算値６、次に入院１と通常１でコスト合算値２などとなる。
【００６１】
次に、優先度判定部３０４によって、ステップＳ６０１で生成したコスト合算値に従い臨床検査実施の指示の優先度を判定する（ステップＳ６０１、Ｓ６０２、Ｓ６０３、Ｓ６０６）。例えば、まず外来２と大至急４でコスト合算値６、次に入院１と通常１でコスト合算値２などという順番の優先度となる。
【００６２】
次に、処理指示部３０５によって、前記判定した優先度に従ってラベルプリンタ１０３へバーコードラベル印刷指示を行う（ステップＳ６０４、Ｓ６０５）。
【００６３】
なお、ステップＳ６０２、Ｓ６０６において、同一の値のコスト合算値を有する臨床検査依頼情報が、ある比較対象となる複数の臨床検査依頼情報のまとまりの中に複数存在する場合、優先度判定部３０４は、まずコスト合算値の異なる臨床検査依頼情報をコスト合算値の降順で並べて優先度（優先度ａ）を判定した後、同じコスト合算値の臨床検査依頼情報のまとまりごとに、コスト合算値の高い臨床検査依頼情報のまとまりから以下のように判定を繰り返す。
【００６４】
ステップＳ６０３において、優先度判定部３０４は、同じコスト合算値の臨床検査依頼情報のまとまりに含まれる全ての臨床検査依頼情報が同一の至急区分４０２と入院外来区分５０７の組み合わせを有しているかどうかを判定する。全て同じ区分の組合せを有する臨床検査依頼情報である場合（ステップＳ６０３：Ｙｅｓ）は、検査情報取得部３０１が当該臨床検査依頼情報毎に対応する臨床検査依頼情報受付時間４０３を臨床検査管理ＤＢ１０２から取得し、優先度判定部３０４は、同じコスト合算値の臨床検査依頼情報のまとまりの中で臨床検査依頼情報受付時間４０３の昇順（当該時間が早く到来する順番）で当該臨床検査依頼情報を並びかえた順番で、優先度（優先度ｂ）を判定する。処理指示部３０５は、優先度ａ及び優先度ｂに従い、ラベルプリンタ１０３へバーコードラベル印刷指示を行う（ステップＳ６０４）。
【００６５】
一方、同じコスト合算値の臨床検査依頼情報のまとまりに含まれる臨床検査依頼情報の至急区分４０２と入院外来区分５０７の組み合わせが相互に異なる場合（ステップＳ６０３：Ｎｏ）は、検査情報取得部３０１が当該臨床検査依頼情報毎に対応する採血予定時間４０６を臨床検査管理ＤＢ１０２から取得し、優先度判定部３０４は、当該同じコスト合算値の臨床検査依頼情報のまとまりの中で採血予定時間４０６の昇順（当該時間が早く到来する順番）で並びかえた順番で、優先度（優先度ｃ）を判定する。処理指示部３０５は、優先度ａ及び優先度ｃに従い、ラベルプリンタ１０３へバーコードラベル印刷指示を行う（ステップＳ６０５）。
【００６６】
図７においては、まず、患者情報取得部３００と、検査情報取得部３０１と、コスト値取得部３０３によって、それぞれ比較対象となる複数の臨床検査依頼情報毎に対応する患者情報５００である入院外来区分５０７と該患者情報に関連する検査情報４００である至急区分４０２およびこれらの区分に付与されたコスト値情報５１０を臨床検査管理ＤＢ１０２から取得する（ステップＳ７００）。
【００６７】
次に、コスト合算値生成部３０２によって、臨床検査依頼情報毎にステップＳ７００で取得した患者情報５００の入院外来区分５０７と、これに関連する検査情報４００の至急区分４０２の重み付けコスト値５１２からコスト合算値を生成し、コスト合算値の降順で臨床検査依頼情報を並べる（ステップＳ７０１）。例えば、まず外来２と大至急４でコスト合算値６、次に入院１と通常１でコスト合算値２などとなる。
【００６８】
次に、優先度判定部３０４によって、ステップＳ７０１で生成したコスト合算値に従い臨床検査結果提供の指示の優先度を判定する（ステップＳ７０１、Ｓ７０２、Ｓ７０３、Ｓ７０５、Ｓ７０６、Ｓ７０７、Ｓ７０９）。例えば、まず外来２と大至急４でコスト合算値６、次に入院１と通常１でコスト合算値２などという順番の優先度となる。
【００６９】
次に、処理指示部３０５によって、前記判定した優先度に従って上位システム１０５へ臨床検査の結果情報を送信する（ステップＳ７０４、Ｓ７０８）。
【００７０】
なお、ステップＳ７０２、Ｓ７０９において、同一の値のコスト合算値を有する臨床検査依頼情報が、ある比較対象となる複数の臨床検査依頼情報のまとまりの中に複数存在する場合、優先度判定部３０４は、まずコスト合算値の異なる臨床検査依頼情報をコスト合算値の降順で並べて優先度（優先度ｄ）を判定した後、同じコスト合算値の臨床検査依頼情報のまとまりごとに、コスト合算値の高い臨床検査依頼情報のまとまりから以下のように判定を繰り返す。
【００７１】
ステップＳ７０３において、同じコスト合算値の臨床検査依頼情報のまとまりに含まれる全ての臨床検査依頼情報が同一の至急区分４０２と入院外来区分５０７の組み合わせを有しているかどうかを判定する。全ての臨床検査依頼情報が同じ区分の組合せを有する場合（ステップＳ７０３：Ｙｅｓ）は、検査情報取得部３０１が当該臨床検査依頼情報毎に対応する臨床検査完了時間４０５を臨床検査管理ＤＢ１０２から取得し、優先度判定部３０４は、同じコスト合算値の臨床検査依頼情報のまとまりの中で臨床検査完了時間４０５の昇順（当該時間が早く到来する順番）で並びかえた順番で、当該臨床検査依頼情報の優先度（優先度ｅ）を判定する。指示処理部３０５は、優先度ｄ及び優先度ｅに従い、上位システム１０５へ臨床検査の結果情報を送信する（ステップＳ７０４）。
【００７２】
一方、同じコスト合算値の臨床検査依頼情報のまとまりの中で至急区分４０２と入院外来区分５０７の組み合わせが異なる臨床検査依頼情報が複数存在する場合（ステップＳ７０３：Ｎｏ）は、優先度判定部３０４は、次に当該複数の臨床検査依頼情報の入院外来区分５０７が外来かどうかの判定を行う（ステップＳ７０５）。
【００７３】
ステップＳ７０５において、入院外来区分５０７が外来であった場合（ステップＳ７０５：Ｙｅｓ）、検査情報取得部３０１が当該臨床検査依頼情報毎に、対応する診察予定時間４０７を臨床検査管理ＤＢ１０２から取得し、優先度判定部３０４は、診察予定時間４０７の先後によって、即ち、昇順（当該時間が早く到来する順番）で優先度（優先度ｆ）を判定する（ステップＳ７０６）。
【００７４】
一方、入院外来区分５０７が入院であった場合（ステップＳ７０５：Ｎｏ）は、検査情報取得部３０１が当該臨床検査依頼情報毎に、対応する手術開始時間４０８を臨床検査管理ＤＢ１０２から取得し、優先度判定部３０４は、手術開始時間４０８の先後によって、即ち、昇順（当該時間が早く到来する順番）で優先度（優先度ｇ）を判定する（ステップＳ７０７）。
【００７５】
指示処理部３０５は、優先度ｄ、優先度ｆ及び優先度ｇに従い、即ち、診察予定時間４０７と手術開始時間４０８を昇順（これらの時間が早く到来する順番）で並び替えた順番で、上位システム１０５へ検査の結果情報を送信する（ステップＳ７０８）。
【００７６】
以上説明したように、本発明は、臨床検査結果を診療サイドに提供する臨床検査システム、臨床検査処理装置及び臨床検査処理方法であって、患者の氏名、性別、入院外来区分、至急区分、各種時間等を取得し、重み付けコスト値の合算を生成し、生成したコスト合算値から優先度を判定し、優先度に応じて臨床検査実施や臨床検査結果提供を指示することができる。このため、患者ごとのステータスが混在していても、処理の輻輳状態に影響されることなく、患者ごとのステータスを考慮し、その優先度に応じて適切に処理を行い、患者にとっての待ち時間を最小にすることが可能な臨床検査システム、臨床検査処理装置及び臨床検査処理方法を提供することができる。
【符号の説明】
【００７７】
１００  臨床検査システム
１０１  臨床検査処理装置
１０２  臨床検査管理ＤＢ
１０３    ラベルプリンタ
１０４  ネットワーク
１０５  上位システム
２００  バス
２０１  ディスプレイ
２０２  キーボード
２０３  マウス
２０４  ＮＩＣ（ネットワークインタフェースコントローラ）
２０５  ＨＤＤ（ハードディスクドライブ）
２０６  ＨＤ（ハードディスク）
２０７  ＲＡＭ
２０８  ＲＯＭ
２０９  ＣＰＵ
３００  患者情報取得部
３０１  検査情報取得部
３０２  コスト合算値生成部
３０３  コスト値取得部
３０４  優先度判定部
３０５  処理指示部
３０６  受信部
４００  検査情報
４０１  患者番号
４０２  至急区分
４０３  受付時間
４０４  予約時間
４０５  検査完了時間
４０６  採血予定時間
４０７  診察予定時間
４０８  手術開始時間
５００  患者情報
５０１  患者番号
５０２  患者氏名
５０３  性別
５０４  生年月日
５０５  科
５０６  病棟
５０７  入院外来区分
５１０  コスト値情報
５１１  区分
５１２  コスト値
【図１】
2015179424.tif 000003
【図２】
2015179424.tif 000004
【図３】
2015179424.tif 000005
【図４】
2015179424.tif 000006
【図５】
2015179424.tif 000007
【図６】
2015179424.tif 000008
【図７】
2015179424.tif 000009